(57)【要約】      （修正有）【課題】一次元の動作により任意のファイルやデータを選択・選択の為のスクロールがスピーディにおこなえるタッチパッドシステムを提供する。【解決手段】直線あるいは、直線の両終端を曲げた設計の曲線又はＣ文字型又は環状の一次元タッチパッドと専用のタッチパッド制御手段等の組み合わせにより、軽薄短小化・低コスト且つ、スピーディでスマートなスクロール、タイトルの選択操作、電子番組表での番組予約、文字選択・変換候補選択・文字種選択が可能な一次元タッチパッドシステムを構成する。【選択図】図２
0003157754.tif 000002
【実用新案登録請求の範囲】
【請求項１】
複数の領域に分割されていない、かつ領域を特定の単一の選択候補に割り当てられていない一次元タッチパッドの長手方向しかタッチ情報の検知を行わない、あるいは短手方向で僅かな幅の検知しか行わない、横と縦軸からなる二次元体の平板に於けるｘ軸とｙ軸上の点として定義される座標位置や座標位置の移動量を検知を目的とする従来のタッチパッドと異なり、一次元である直線状あるいは曲線状の一次元タッチパッド上のタッチ始点とタッチ中の移動点の間の移動量と順あるいは逆方向を検知する一次元タッチパッド３７と、前記一次元タッチパッドを制御する為のタッチパッド制御手段と、表示パネルと駆動回路・周辺部材からなる表示手段３３と、表示手段での表示の為の表示用メモリーを含む表示制御を行う表示制御手段３３と、前記一次元タッチパッド上のタッチ・なぞりによる移動量と方向に応じた選択候補からの選択の為の選択候補の表示切替を行う為の表示切替手段３３と、前記一次元タッチパッドのタッチ・なぞりの移動方向・移動量とリリース時の選択候補情報を記憶するメモリー５１と、前記一次元タッチパッドシステムを管理する制御手段３５と、指でのタッチ・なぞり（移動）に基づく移動量と順あるいは逆方向の移動情報を計測するなぞり方向と量の計測手段と指の指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、ＨＤＤ・光ディスク・メモリーからなる記憶手段３８を内蔵し、この記憶手段内のファイルを一覧表で管理しキー３４と一次元タッチパッド３７にて任意のファイルの選択が行えるファイル一覧管理手段４３を内蔵し、前記一次元タッチパッドをタッチ・なぞり（移動）・リリースにより、ファイル又は任意の画面位置の選択が可能な事を特徴とする携帯電話・記録装置用リモコン・ＰＨＳ用の一次元タッチパッドシステム。
【請求項２】
請求項１に記載の一次元タッチパッドシステムであって、電子機器・リモコンの方向キー４の周辺部に配置可能な様に直線の前記一次元タッチパッドの両端を曲げたＣ文字型又は環状に設計した一次元タッチパッドと、前記一次元タッチパッドを制御する為のタッチパッド制御手段と、指でのタッチ・なぞり（移動）に基づく移動量と順あるいは逆方向の移動情報を計測する前記なぞり方向と量の計測手段と指の離しリリースを検知する前期リリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段と、前記一次元タッチパッドのタッチ・なぞりの移動方向・移動量とリリース時の選択候補情報を記憶するメモリー５１を内蔵し、これに対応する選択候補の表示切替を前記表示切替手段３３にて行わせると共に、指の離し・リリースの検知を行う前記なぞり方向と量の計測手段３０となぞり方向と量の計測・リリース検知手段３０からなるなぞり方向と量の計測・リリース検知手段３０を内蔵させ、表示画面のページ切替え・画面スクロール操作・ファイルあるいは特定の表示画面位置の選択候補の選択が前記一次元タッチパッドのタッチ・なぞり・リリースにより、前記選択候補からのファイル選択が可能な事を特徴とする、ファイルと任意の画面位置の選択指示を行える携帯電話・テレビ・記録装置用リモコン・ＰＨＳ・プリンター用の一次元タッチパッドシステム。
【請求項３】
請求項１又は請求項２に記載の一次元タッチパッドシステムであって、前記選択候補の表示切替に対応した前記一次元タッチパッド上に、スピーディな選択候補の選択あるいはスピーディなスクロール量・スクロール方向の指示を行う為に複数の突起あるいは凹凸を一定間隔で形成し、利用者が指の触覚にて前記一次元タッチパッド上をなぞった際に、突起あるいは凹凸の数から移動量を知覚しつつ選択候補からのファイル選択・表示画面のページ切替え・任意の表示画面位置の選択（スクロール）が可能な事を特徴とする前記一次元タッチパッドを内蔵し、前記ファイル一覧管理手段４３により、ファイルと任意の画面位置の選択指示を行う事が可能な事を特徴とする携帯電話・テレビ・記録装置用リモコン・ＰＨＳ用の一次元タッチパッドシステム。
【請求項４】
請求項１又は請求項２又は請求項３に記載の一次元タッチパッドシステムであって、指でのタッチ・なぞり（移動）に基づく移動量と順あるいは逆方向の移動情報を計測するなぞり方向と量の計測手段と指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、
携帯電話・ＰＨＳで、受信あるいは送信したメッセージのファイルの選択・管理・表示を行うメールメッセージ管理手段３９と受信・送信メールメッセージの記憶を行う為の記憶手段３８の内蔵により、一次元タッチパッドのタッチ・なぞり・リリースにより、タッチ始点とタッチ中の点との間の移動量と移動方向に対応する現在のカーソル位置あるいは表示画面のスクロール位置の表示切替を行い、受信したメール・過去に送信した携帯メールの一覧表に於いて、特定のメールメッセージのファイル選択・前記メールメッセージを表示する為に、表示画面のページ切替え・画面スクロール・ファイル選択が可能な事を特徴とするファイルと任意の画面位置の選択指示を行う為の携帯電話・ＰＨＳ用の一次元タッチパッドシステム。
【請求項５】
請求項１又は請求項２又は請求項３に記載の一次元タッチパッドシステムであって、指でのタッチ・なぞり（移動）に基づく移動量と順あるいは逆方向の移動情報を計測するなぞり方向と量の計測手段と指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、地図又はＨＰを表示すると共に地図表示時には地図のズーム倍率とスクロール移動を制御するスクロールとズーム制御を行うスクロール制御手段５２と地図又はＨＰデータを記憶する記憶手段３８を内蔵し、地図・画像と文字等から構成されるＨＰのデータを記憶手段３８に記憶し、表示画面にＨＰ情報の表示を行い、一次元タッチパッドのタッチ・なぞりにより、タッチ始点とタッチ中の点との間の移動量と移動方向に対応するスクロール・表示画面切替・カーソル位置あるいは現在の選択位置の移動を行い、お目当ての画面選択候補位置にて指のリリースにより、携帯電話・ＰＨＳに表示の地図又はＨＰ閲覧画面に於いてスピーディでスマートな画面スクロール又は、現在の選択位置を示すカーソルの移動による画面位置の移動又は地図表示時には地図の表示倍率を制御したズーム制御が可能なことを特徴とするファイルと任意の画面位置の選択指示を行う為の携帯電話・ＰＨＳ用の一次元タッチパッドシステム。
【請求項６】
請求項１又は請求項２又は請求項３に記載の一次元タッチパッドシステムであって、指でのタッチ・なぞり（移動）に基づく移動量と順あるいは逆方向の移動情報を計測するなぞり方向と量の計測手段と指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、メールアドレスあるいは通話先の電話番号・宛名名を含むデータを管理し、特定の相手へのメールメッセージの表示あるいは特定の相手との電話ダイヤルを行うアドレス帳管理手段４１と相手先のアドレス・電話番号・相手先を記憶する記憶手段３８の内蔵により、メール宛先又は電話番号の一覧表で構成されるアドレス帳の一覧表に選択候補の表示を行い、前記一次元タッチパッドのタッチ・なぞりにより、タッチ始点とタッチ中の点との間の移動量と移動方向に対応する現在の選択中の相手先の選択候補の表示切替を行い、任意の選択候補の表示時に指をリリースし離しを検知し、通話あるいはメールの相手先のメールアドレス・電話番号のスピーディでスマートな選択・特定の相手へのメールアドレスが入力されたメッセージの作成・特定の相手との電話ダイヤルを行う為の表示切替・スクロール・相手先情報の選択が可能な事を特徴とするファイルと任意の画面位置の選択指示を行う為の携帯電話・ＰＨＳ用一次元タッチパッドシステム。
【請求項７】
請求項１又は請求項２又は請求項３に記載の一次元タッチパッドシステムであって、
指でのタッチ・なぞり（移動）に基づく移動量と順あるいは逆方向の移動情報を計測するなぞり方向と量の計測手段と指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、メモ帳にてメモを入力・保存可能なメモ帳管理手段５１により、文字入力したメモ文を記憶する記憶手段３８を内蔵した携帯電話・ＰＨＳに於いて、前記一次元タッチパッドのタッチ・なぞり、前記一次元タッチパッド上の任意の位置での指のリリース離しにより、タッチ始点となぞり・リリースした点との間の移動量と移動方向に対応する表示画面の切替・スクロールを表示切替手段３３にて行い、任意の画面位置で指をリリースし、メモ帳に於ける画面スクロール・現在の文字入力位置であるカーソル位置の移動指示がスピーディにスマートに行える事を特徴とするファイルと任意の画面位置の選択指示を行う為の携帯電話・ＰＨＳ用の一次元タッチパッドシステム。
【請求項８】
請求項１又は請求項２又は請求項３に記載の一次元タッチパッドシステムであって、指でのタッチ・なぞり（移動）に基づく移動量と順あるいは逆方向の移動情報を計測するなぞり方向と量の計測手段と指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、ワンセグ又はデータ放送により提供される電子番組表の管理と前記一次元タッチパッドのスクロール方向を切り替える為のスクロール方向の切替ボタン操作あるいは方向キーを押しつつ一次元タッチパッドのタッチし・なぞりを監視する電子番組表管理手段２８と、前記スクロール方向の切替ボタンを有する場合、縦横のスクロール方向の切り替えボタン２４を利用しテレビ放送局の切替えを方向キーの同時操作で切替えた上で、前記一次元タッチパッドのタッチ・なぞり・リリース離しにより、スクロールを行いう又は、前記切替えボタンを内蔵しない場合は、これで予約時間・日の選択を行う為、横のスクロールに切り替え、携帯電話の表示画面あるいはテレビ画面に、タッチ点・なぞり点との間の移動量（なぞり量）と移動方向に対応する現在の選択番組の表示・表示切替を行い、目的の番組が選択された状態で指をリリースし、電子番組表による視聴・録画予約の為の番組の選択指示を一次元タッチパッドにてスピーディにスマートに打鍵数を削減しつつ、視聴・録画予約の為の番組選択が行える事を特徴とする、ファイルと任意の画面位置の選択指示を行う為の携帯電話・ＰＨＳ・テレビ・記録装置用リモコン用の一次元タッチパッドシステム。
【請求項９】
請求項１又は請求項２又は請求項３に記載の一次元タッチパッドシステムであって、指でのタッチ・なぞり（移動）に基づく移動量と順あるいは逆方向の移動情報を計測するなぞり方向と量の計測手段と指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、携帯電話・ＰＨＳ・テレビ・記録装置用リモコン用のワンセグテレビ又はテレビ放送の音量あるいは通話時の音量の調整が現在の記憶された音量レベルを可変可能な一次元タッチパッドにてスピーディに行える音量調整手段４４の内蔵により、タッチ・なぞりによりスピーカーあるはイヤーフォンから出力される音量につき、前記音声調整手段の音量調整バーあるいは音量の数値の表示切替を行い、任意の位置で前記一次元タッチパッドのリリースによる移動量と移動方向の指示による現在の音量レベルを示すバーあるいは数値に基づき切り替え・任意の音量レベルの選択指示が可能な事を特徴とする携帯電話・ＰＨＳ・テレビ・記録装置用リモコン用の一次元タッチパッドシステム。
【請求項１０】
請求項１又は請求項２又は請求項３に記載の一次元タッチパッドシステムであって、指でのタッチ・なぞり（移動）に基づく移動量と順あるいは逆方向の移動情報を計測するなぞり方向と量の計測手段と指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、ワンセグチューナー内蔵の携帯電話又はＰＨＳ又はデータ放送対応のテレビ又は記録装置用リモコンに於いて、視聴あるいは録画する為のチャンネル（放送局）の切替えを・管理を行う視聴あるいは録画・視聴予約する放送局選択手段５３の内蔵により、タッチしなぞりを検知する為の前記タッチ中の点の検知手段３１にて表示手段３３により表示されているチャンネルの選択候補をリアルタイムで表示切替手段３３にてチャンネルの選択候補の表示切替を行い、視聴するチャンネルを一次元タッチパッドのタッチ・なぞり、特定の希望のチャンネルに於いて指のリリースを行う事により、チャンネルの選択が可能な事を特徴とする、ファイルと任意の画面位置の選択指示を行う為の携帯電話・ＰＨＳ・テレビ・記録装置用リモコン用の一次元タッチパッドシステム。
【請求項１１】
請求項１又は請求項２又は請求項３に記載の一次元タッチパッドを利用したシステムであって、指でのタッチ・なぞり（移動）に基づく移動量と順あるいは逆方向の移動情報を計測するなぞり方向と量の計測手段と指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、一次元タッチパッドと楽曲の一覧管理と楽曲再生を行うファイル一覧管理手段４３と楽曲を記憶可能な記憶手段３８の内蔵により、前記の一次元タッチパッドのタッチ・なぞり・リリースにより、表示画面のページ切替え・画面のスクロール・前記楽曲の選択候補からの選択指示を行う事を特徴とするデジタル音楽プレーヤー用の一次元タッチパッドシステム。
【請求項１２】
請求項１又は請求項２又は請求項３に記載の一次元タッチパッドを利用したシステムであって、指でのタッチ・なぞり（移動）に基づく移動量と順あるいは逆方向の移動情報を計測するなぞり方向と量の計測手段と指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、一次元タッチパッドと静止画あるいは動画の管理・選択候補の表示・動画再生を行う為のファイル一覧管理手段４３と、静止画あるいは動画データを記憶する記憶手段３８の内蔵により、静止画・動画の再生の為、前記ファイル選択候補選択と任意の画面位置の選択・表示画面のページ切替え・画面スクロール操作・ファイル選択指示を行う事を特徴とするデジタルカメラ・ビデオカメラ用の一次元タッチパッドシステム。
【請求項１３】
請求項１又は請求項２又は請求項３に記載の一次元タッチパッドを利用したシステムであって、指でのタッチ・なぞり（移動）に基づく移動量と順あるいは逆方向の移動情報を計測するなぞり方向と量の計測手段と指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、タッチなぞりデータに基づき移動量と順あるいは逆方向の移動情報を計測すると共に指のリリースを検知するなぞり方向と量の計測・リリース検知手段３０又はなぞり方向と量の計測手段から独立させたリリース検知手段と移動情報を計測する計測手段、又は制御手段３５又はタッチパッド制御手段又は表示切替手段に内蔵されたリリース検知手段を内蔵し、文字入力手段４０とテンキー・方向キー３４と記憶手段３８の内蔵により、テンキー３４と一次元タッチパッド３７の両者を操作しつつ、スピーディな日本語・英数字からなる文字入力・漢字変換が可能な事を特徴とする携帯電話・ＰＨＳ・リモコン用の一次元タッチパッドシステム。
【考案の詳細な説明】
【技術分野】
【０００１】携帯電話、テレビ・記録装置用リモコン等の電子機器用のファイルと画面位置の選択（スクロール）を行う為のタッチパッドセンサーの技術分野に関するものです。
【背景技術】
【０００２】携帯電話、テレビ・記録装置用リモコン等の電子機器には、方向キーと決定キーが利用されている。  記録装置に記憶されたファイルの再生・表示の為のファイル選択や携帯電話に於けるＨＰやメール入力編集画面位置の選択（スクロール）又は文字入力の為には、方向キー・テンキー（０〜９）を多数回打鍵し、選択する手間が求められている。  この候補選択と画面位置の切替・選択（スクロール）・文字入力のスピーディ化・スマート化が求められており、一部の携帯電話では、方向キーを兼ねるホイールと回転検知センサーや回転軸や回転体機構からなるホイールシステムによるスピーディでスマートな回転による順・逆方向での選択候補の選択・画面のスクロールを実現している。しかしユーザの更なる軽薄短小化・お求め易い低価格化、デザイン性向上の為のシンプル化ニーズに応えるという複数の課題の同時の解決の考案が求められている。
【考案の開示】
【考案が解決しようとする課題】
【０００３】携帯電話、地上デジタル（地デジ）テレビ・記録装置用リモコン等の電子機器には、方向キーと決定キーが実装されている。
記録・撮影あるいはダウンロードした任意の画像・動画・静止画のファイルの選択や、携帯電話での受信あるいは送信した表示させたいメッセージの選択、アドレス帳からの相手先電話番号やＦＡＸ番号やメールアドレスからの特定の相手の電話番号の選択、携帯電話のメール文の入力画面に於ける任意の表示の画面位置を選択・切替える画面（スクロール）や、ＨＰ画面に於ける特定の画面位置を選択するスクロールの為に、方向キーを何度も何度も押し・打鍵する必要があり利便性が良いとは言えない。
特に前記の電子機器には、大容量のＨＤＤ・フラッシュメモリー・ＲＡＭ等の記憶手段が内蔵されており、沢山のファイルが記憶されており、任意のファイルを選択する為には、方向キーを多数回打鍵する操作が求められる。
更にテレビ・記録装置用のリモコンに於いて、録画予約する電子番組表にて１週間程度先までの任意の放送局・日時の番組の番組予約を行う為にも、何度も何度も、方向キーを押し続け、前記電子番組表上での現在選択している番組を方向キーを多数買い打鍵し、左右上下へ移動させ、任意の番組を選択し、決定ボタンにて予約登録する必用があり、スピーディ且つスマートで効率的・迅速とは言えない。
この方向キー等のボタン操作の迅速化・スピーディ化を図り、利便性を追求すると共に、ユーザから求められる軽薄端小性向上と新興国の中流階層のボリュームゾーンをターゲットとする低コスト化・広く市場での普及を目指した値段の実現の為のシンプル化を両立することが求められている。
携帯電話では、変換候補の選択や画面スクロール作業の迅速化・効率化の為に、ホイール回転体と回転検知センサーを搭載した機種もあり、変換候補の選択の迅速化によりスピーディなファイル選択が可能である。
しかし方向キーを兼ねるホイールと回転軸と回転センサーの内蔵・実装が必要であり、軽薄短小化と低価格化のトレンドと逆行してしまう為、シンプル性とコスト力とデザインフレキシビリティと軽薄短小性を兼ね備えた効率的な前記の選択行動や画面のスクロール指示が求められている。この課題を解決する為にデザインフレキシビリティに優れた一次元タッチパッドとタッチパッドの指でのタッチし・なぞり・リリースを検知する為のシステムが求められている。
更にテレビ番組の録画が可能な記録装置や番組予約による視聴予約が可能なテレビでは、データ放送により電子番組表が提供され、横に時間・日と縦にチャンネルあるいは縦横が逆に表示され、方向キーによる左右上下方向に自由に現在の選択番組を移動させ、決定キー等により録画あるいは視聴予約が可能となる。録画機器では、一般に一週間先の番組まで予約が可能であるが、一週間先の番組の予約では、多数の番組の件数に相当する方向キーの打鍵が必用となる。
より簡便な電子番組表による予約操作の迅速化を目指し、一部の携帯電話に実装されているホイール回転体等の回転動作により方向キーを使用しないで済むスマートでスピーディな予約が求められており、ホイール回転により順あるいは逆方向へのスクロール指示が可能となる。しかし前記電子機器は、軽薄短小化と新興国のボリュームゾーンの中間層にも受入れられるコスト力が同時に求められる為、前記のホイール機構を更に進化した次世代ソリューションの考案が求められている。
携帯電話やテレビ用のリモコンのハイエンド機種には、表示装置と二次元タッチパッドを組み合わせた商品が開発されており、高機能を実現しているが、二次元パッドシステムに於いてタッチ座標位置を検知する為に入出力の端子を多数有するタッチパッド制御検知ＬＳＩと大きな面のタッチパッドと検知分解能に対応する大容量の座標メモリーの実装が求められる事から、値段が高く富裕層向けのモデルに限定的に採用され、広くマーケットで普及しているとは言えない上、電子番組表の予約の為の打鍵数の削減を狙ったものではない。
現在、日本企業を取り巻く経営環境は北米金融危機と過度な円高を受け疲弊しており、創意とイノベーションに基づきユーザの利便性に優れ、且つ万民への普及が可能な値段のシンプル性・デザイン性に優れた新製品を、新興国の中流層をもターゲットに開発・発売し、金融危機からの復興に向けた日本経済の牽引が求められている。
しかし中国・インドの特に地方都市では、国策による携帯電話等の普及が見込まれるが、日本国内トップ企業の高機能・高性能・高品質路線のブランドイメージ浸透を受け、２倍以上の価格差から、新興国市場での普及には障害がある。
これら諸国の携帯電話利用は、通話機能に軸足を置き利用されているが、パケット量のより軽い割安な携帯メールの利用の活発化へのニーズが今後高まることが予想される。その為には、現在のシンプルなダイヤルの為の０〜９からなるテンキーを維持しつつも、長文入力時に文字入力の効率化が実現できれば、新興国のコスト力に優れた携帯電話に対応でき、新興国の地方でのブランド力を高める事に結び付く。
現在のタッチパッドは、ノートＰＣ用のポインティングデバイスとしてｘ軸とｙ軸からなる二次元上の座標上の始点と移動点を検知する平板状のセンサーとして、あるいは電子機器に於いて表示装置と一体化された利便性の高い高機能商品が開発されている。
本考案は、従来の座標位置と移動量を検知する二次元タッチパッドの常識を覆し、キーボタンと一次元タッチパッドの組み合わせた新しい操作を提案し、ホイール回転体・センサー・回転軸のリプレースの為に、低コスト（組立生産効率・部品点数）・軽薄短小性・デザインフレキシビリティ、ホイールの操作性と利便性・スピーディな操作等の全ての特長を維持・進化を実現させた一次元タッチパッドの採用により、操作の迅速化・効率化を目指し、携帯電話・記録装置用リモコン等用システムに関する考案です。
【課題を解決するための手段】
【０００４】複数の領域に分割されていない、かつ領域を特定の単一の選択候補に割り当てられていない一次元タッチパッドの長手方向しかタッチ情報の検知を行わない、あるいは短手方向で僅かな幅の検知しか行わない、横と縦軸からなる二次元体の平板に於けるｘ軸とｙ軸上の点として定義される座標位置や座標位置の移動量を検知を目的とする従来のタッチパッドと異なり、一次元である直線状あるいは曲線状の一次元タッチパッド上のタッチ始点とタッチ中の移動点の間の移動量と順あるいは逆方向を検知する一次元タッチパッド３７と、前記一次元タッチパッドを制御する為のタッチパッド制御手段と、表示パネルと駆動回路・周辺部材からなる表示手段３３と、表示手段での表示の為の表示用メモリーを含む表示制御を行う表示制御手段３３と、前記一次元タッチパッド上のタッチ・なぞりによる移動量と方向に応じた選択候補からの選択の為の選択候補の表示切替を行う為の表示切替手段３３と、前記一次元タッチパッドのタッチ・なぞりの移動方向・移動量とリリース時の選択候補情報を記憶するメモリー５１と、前記一次元タッチパッドシステムを管理する制御手段３５と、指でのタッチ・なぞり（移動）に基づく移動量と順あるいは逆方向の移動情報を計測するなぞり方向と量の計測手段と指の指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、ＨＤＤ・光ディスク・メモリーからなる記憶手段３８を内蔵し、この記憶手段内のファイルを一覧表で管理しキー３４と一次元タッチパッド３７にて任意のファイルの選択が行えるファイル一覧管理手段４３を内蔵し、前記一次元タッチパッドをタッチ・なぞり（移動）・リリースにより、ファイル又は任意の画面位置の選択が可能な事を特徴とする携帯電話・記録装置用リモコン・ＰＨＳ等の電子機器用の一次元タッチパッドシステム。
【考案の効果】
【０００５】本考案により、方向キーを度重なり打鍵する事なく、一次元タッチパッド上をタッチ・なぞり、移動量と移動方向に基づく選択候補の表示の切替、利用者は画面を見ながら、任意の選択候補の表示時に指をリリース離しにより、任意の選択候補・画面位置を選択する。
直線あるいは曲線あるいはＣ文字型あるいは環状にデザインした一次元タッチパッド上をタッチ・なぞり・リリース離しにより、携帯メールのメッセージ入力画面でのスクロール、ワンセグチューナーの放送局・チャンネルの切り替え、携帯電話のインターネットに於けるＨＰ情報の表示画面のスクロールや携帯電話で撮影した写真・動画・音楽ファイル等の選択や音楽再生機能を利用し再生する。
更に前記の一次元タッチパッドのタッチ・なぞり・リリースにより０〜９からなるテンキーであ行等の行を選択し、前記タッチパッド上をタッチなぞりリリースによりあ行内ので文字を選択、文字種の変更キーを押した後、前記一次元タッチパッドの操作により文字種のスピーディな選択（文字種の切替え）、日本語変換に於いても一次元タッチパッドの操作によりスピーディに変換候補の選択が可能となる。
更にテレビや記録装置の場合は、リモコンへの一次元タッチパッドと縦横スクロールの切り替えボタンの内蔵により、電子番組表に於いて、切り替えボタンで縦と横のスクロール移動方向を切り替え、横あるいは縦方向に一次元タッチパッドを利用し、番組予約の為の番組表上の選択番組の大きな移動、スクロール量と方向をコントロールし、スピーディでスマートな番組予約を可能にするものです。
一次元タッチパッドでは、タッチパッド制御手段を構成するＬＳＩの必要端子数が二次元タッチパッドの約半分以下ですみ、専用の表示装置と組み合わせず、携帯電話の場合は主表示画面を利用し、リモコンの場合はテレビの画面を利用し電子番組表を表示し、ホイールを組み込んだ場合に比べコスト面で優れたシンプルな一次元タッチパッドシステムによる選択やスクロール等の操作の迅速化を行う。更にデザインフレキシビリティに優れている事から、一次元タッチパッドセンサーをＣ文字型あるいは環状に設計し、方向キーの外周にデザインが可能であり、軽薄短小も改善できる。
【考案を実施するための最良の形態】
【０００６】図１に本考案を実現するための最良の形態について説明します。本考案では、携帯電話で利用する場合、左利きや右利き等の利用者を想定し、テンキーの左右両端のキーとキャビネット端の間の隙間の位置又は当該機器の側面位置等に、縦長のタッチパッドを左右計２本又は片側に配し、タッチ・移動（なぞり）点の間の移動量と移動方向を検知し、この検知情報に基づき、選択候補の表示切替を行う表示切替手段３３を内蔵する。一次元移動量と移動方向をなぞり方向と量の計測手段３０にて指の移動（なぞり）方向と移動（なぞり）量を演算し、順・逆方向と移動量を検知し、なぞり方向・なぞり量の情報を記憶するメモリー５１に位置情報あるいは位置コードを記憶し、移動量と方向に対応する表示切替・選択候補の表示を行う表示切替手段を有し、タッチなぞり位置移動に合わせた表示切替を行い、メール入力画面やＨＰ閲覧画面に於ける画面スクロールを、指のなぞり・リリースにより可能にし、今までの様に度重なり方向キーを打鍵せずにスマートにスピーディに行える様にするものです。
更に携帯電話・ＰＨＳ・プリンターで、撮影した写真やダウンロードした音楽又は動画ファイルの一覧表からの選択あるいは選択ページの表示切替を行い、スマート且つスピーディに前記の一次元タッチパッドをなぞりリリースする事により実現するものです。
現在、商品化されている一部の携帯電話には、表示手段と二次元タッチパッドが一体化されており、簡便な操作を実現しているが、表示画面を常時指でタッチしなぞっている事から指紋や汚れが表面に付着する上、セルギャップが極めて狭い液晶等の表示デバイスの表示機能や画質の劣化に結び付く上、大型の表示パネルに対応する多入出力のタッチパッド制御手段を構成するＬＳＩの実装と配線が求められ、コスト高に繋がり、新興国のボリュームゾーンでの爆発的な普及は困難である。
更にテンキーを採用した携帯電話で受信あるいは送信したメールの一覧表から特定のメッセージを表示させる際に、方向キーを度重なり打鍵せずに、一次元タッチパッドをタッチなぞる事によりスピーディでスマートに選択あるいは表示画面・一覧表ページの切り替えを行うものです。
更に携帯電話でメールの送信あるいは通話の為のメールアドレスあるいは電話番号のアドレス帳からの宛先の選択に於いて、前記一次元タッチパッドをタッチ・なぞり・リリースする事により、スピーディでスマートな選択を可能にするものです。
更にワンセグテレビ表示モード対応携帯電話・ＰＨＳあるいはテレビ・記録装置用リモコンに於いて、チャンネルを切替える操作を表示と連携した一次元タッチパッドをタッチ・なぞり・リリースによりスピーディ且つスマートに選択が可能となり、打鍵数を削減できる。
図４、５、６に示します様に本考案の一次元タッチパッドは、ｘ軸とｙ軸上の値から定義される座標位置あるいは座標位置の移動情報を検知する、表示と一体化された従来の二次元タッチパッドと異なり、主として長手方向のみタッチパッド制御手段を構成する多入出力を有する制御ＬＳＩを実装・配線し、短手方向には単一あるいは僅かな検知幅しか検知性能を有さない。
【実施例】
【０００７】図１に記録装置用リモコンの具体的な実施例について説明します。  更にＨＤＤレコーダー等の記録装置用のリモコンに、一次元タッチパッドとモード切替ボタンの実装により、電子番組表に於いて、リモコンに具備された横あるいは縦のスクロール方向を切替える縦横スクロールの切替えボタンと低コスト一次元タッチパッドシステムを内蔵し、タッチパッド上をタッチ・なぞり・リリースにより電子番組表での番組予約に於いて、予約選択の為の予約操作をスピーディ且つスマートに改変するものです。
更にテンキー３４にて文字入力手段を利用し、テンキー・方向キー３４にてあ行等の行を選択した後一次元タッチパッドにて文字候補より任意の文字を選択し、テンキー・方向キーと一次元タッチパッドの両者を利用し、テンキー方式に比べ、圧倒的に少ない打鍵数を実現するものです。テンキーにて行を選択し、一次元タッチパッドから行内の文字を表示切替された画面を見ながら、任意の候補が選択された位置でタッチパッド上の指のリリースにより文字を入力する。
更に文字種変更の実キーを一回押し、一次元タッチパッドをなぞり・リリースし、任意の文字種をスピーディに選択する。更に日本語の変換候補の一覧表からの選択に於いても、タッチ・なぞり、表示切替を行い、表示画面を見ながら、任意の選択候補が選択された状況で一次元タッチパッド上の指をリリース・離し、スピーディな変換候補の選択を行う。
更にスピーディな選択候補の選択を行う為に一次元タッチパッド上に、選択候補の切替えに対応する前記タッチパッド上の一定間隔の位置に凹凸あるいは突起を形成し、利用者が前記タッチパッド上をなぞり指の触覚にて突起あるいは凹凸の数をカウントする事によりスピーディな選択を追求するものです。
一部の極めて上位のリモコン機種には、表示と一体化された二次元タッチパッドが先端部に内蔵している機種もあるが、高価で光回線に於ける高度な選択する為のもので、番組表に於ける番組の予約は、当該リモコン内に具備された方向キーにて行われ、本考案の一次元タッチパッドとは、課題と手段と目的が異なっている。
更にＣ文字型あるいは環状の一次元タッチパッドとファイル一覧管理手段と、単なる前記タッチパッドのタッチとなぞりの識別手段の内蔵により、方向キーを兼ねる環状タッチパッドの実現によりコストダウンを実現する事が可能となる。
【図面の簡単な説明】
【０００８】
【図１】携帯電話の正面から見た外観図にて本考案の説明を行います。
【図２】携帯電話または記録装置用リモコンの場合のブロック回路図にて本考案の説明を行います。
【図３】リモコンを正面から見た表示画面の外観図にて本考案の説明を行います。
【図４】本考案の一次元タッチパッドの外観図で本考案の説明を行います。
【図５】本考案の一次元タッチパッドの外観図で本考案の説明を行います。。
【図６】本考案の一次元タッチパッドの外観図で本考案の説明を行います。
【図７】電子番組表のテレビに於ける表示画面にて本考案の説明を行います。
【符号の説明】
【０００９】１  携帯電話の表示ブロック
２  表示画面
３  決定ボタン
４  方向キー
５  メニューボタンやアドレス帳等の携帯電話のボタン（キー）
６  左側の一次元タッチパッド
７  右側の一次元タッチパッド
８  テンキー、０から９の数字や＃・＊キー、仮名や英字を兼ねるボタン（キー）
９  文字種の切替えボタン（キー）
１０電子番組表の表示画面
１１電子番組表に於ける週間予約表の現在の選択日
１２電子番組表の週の日付
１３今日の場合の時間帯
１４現在の選択中の番組の記しあるいは白黒反転等の識別体
１５電子番組表の特定放送局に於ける時間ごとの放映予定の番組選択の為の移動
１６一週間先までの予約可能な日付
１７放送局、テレビ局、チャンネル
１８現在の選択中の放送局の変更の為の移動
１９現在の選択中の放送局の変更の為の移動
２０赤外リモコンの電源ボタン
２１テンキーボタン
２２チャンネルボタン
２３方向キー
２４電子番組表に於ける一次元タッチパッドによる縦横移動の切り替えボタン
２５一次元タッチパッド、長手方向のタッチしか検知しない一次元タッチパッド
２６タッチパッドを指でタッチしなぞる方向
２７利用者の指
２８電子番組表管理手段、ワンセグ対応携帯電話用あるいはテレビ・記録装置用リモコン
２９放送局、テレビ局、チャンネル
３０なぞり方向と量の計測・リリース検知手段
３１テンキー・方向キーによる入力行動
３２指による一次元タッチパッドのタッチ・なぞり・リリース
３３表示切替手段と表示制御手段と表示手段
３４キーボタンとキー入力手段
３５制御手段
３６タッチパッド制御手段
３７一次元タッチパッド
３８記憶手段、ＨＤＤ、ＲＡＭ、フラッシュメモリー等
３９メールメッセージ管理手段
４０文字入力手段、文字の選択と変換候補の選択の為の手段
４１アドレス帳管理手段
４２メモ帳管理手段
４３ファイル一覧管理手段
４４音量調整手段
４５二次元タッチパッドのＹ軸方向の軸
４６二次元タッチパッドのＸ軸方向の軸
４７一次元タッチパッドで構造的に検知しない座標位置
４８一次元タッチパッドで構造的に検知可能な一次元位置
４９一次元タッチパッド上に於ける検知可能なタッチ移動量と移動方向
５０一次元タッチパッド上に於いて検知できないタッチ移動量と移動方向
５１メモリー、タッチ・なぞり・リリース情報用メモリー
５２スクロール制御手段
５３放送局選択手段
【図１】
0003157754.tif 000003
【図２】
0003157754.tif 000004
【図３】
0003157754.tif 000005
【図４】
0003157754.tif 000006
【図５】
0003157754.tif 000007
【図６】
0003157754.tif 000008
【図７】
0003157754.tif 000009
【手続補正書】
【提出日】平成21年12月3日(2009.12.3)
【手続補正１】
【補正対象書類名】実用新案登録請求の範囲
【補正対象項目名】全文
【補正方法】変更
【補正の内容】
【実用新案登録請求の範囲】
【請求項１】
一次元タッチパッドの長手方向しかタッチ情報の検知を行わない、あるいは短手方向で僅かな幅の検知しか行わない、一次元である直線状あるいは曲線状の一次元タッチパッド上のタッチ始点とタッチ中の移動点の間の移動量と順あるいは逆方向を検知する一次元タッチパッド３７と、前記一次元タッチパッドのタッチとなぞりとリリース位置を検知する為に検知を制御する為のタッチパッド制御手段と、表示パネルと駆動回路・周辺部材からなる表示手段３３と、表示手段での表示の為の表示用メモリーを含む表示制御を行う表示制御手段３３と、前記タッチパッドの指でのタッチ・なぞりの指移動に基づく移動量と順あるいは逆方向の移動情報を計測するなぞり方向と量の計測手段と指の離しリリースを検知するリリース検知手段からなるなぞり方向と量の計測・リリース検知手段３０又は前記なぞり方向と量の計測手段とリリース検知手段を独立させた構成又は本考案のシステム全体を管理する制御手段３５又は前記タッチパッド制御手段３６又は前記表示切替手段３３と一体化されたリリース検知手段となぞり方向と量の計測手段３０を内蔵し、前記計測・検知情報に基づき前記一次元タッチパッド上のタッチ・なぞりによる移動量と方向に応じた選択候補からの選択あるいはスクロールの為の画面位置の選択の為の表示切替あるいは画面位置の選択であるスクロールを行う表示切替手段３３とスクロール制御手段と、前記一次元タッチパッドのタッチ・なぞりの指移動方向・移動量・選択候補情報・スクロール情報を記憶するメモリー５１と、前記一次元タッチパッドの各構成手段全体を管理する制御手段３５と、ファイルを記憶したＨＤＤ・光ディスク・メモリーからなる記憶手段３８を内蔵し、この記憶手段内のファイルを一覧表で管理し前記の記憶手段から一次元タッチパッド３７にて任意のファイルの選択を行うファイル一覧管理手段４３と、画面のスクロールと選択候補の表示を行うスクロール制御手段５２を内蔵したタッチパッドシステムに於いて、前記一次元タッチパッドのタッチ・なぞりの指移動・リリースによりタッチパッドを利用してタッチパッドによりファイル又は任意の画面位置の選択であるスクロールが可能な事を特徴とする携帯電話・記録装置用リモコン・ＰＨＳ用の一次元タッチパッドシステム。
【請求項２】
請求項１に記載の一次元タッチパッドシステムであって、電子機器・リモコンの方向キー４の周辺部に配置可能な様に直線の前記一次元タッチパッドの両端を曲げたＣ文字型又は環状に設計した一次元タッチパッドと、前記一次元タッチパッドを制御する為のタッチパッド制御手段と、指でのタッチ・なぞりの指移動に基づく移動量と順あるいは逆方向の移動情報を計測する前記なぞり方向と量の計測手段と指の離しリリースを検知する前期リリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段と、前記一次元タッチパッドのタッチ・なぞりの移動方向・移動量とリリース時の選択候補情報を記憶するメモリー５１を内蔵し、これに対応する選択候補の表示切替を前記表示切替手段３３にて行わせると共に、指の離し・リリースの検知を行う前記なぞり方向と量の計測手段３０となぞり方向と量の計測・リリース検知手段３０からなるなぞり方向と量の計測・リリース検知手段３０を内蔵させ、表示画面のページ切替え・画面スクロール操作・ファイルあるいは特定の表示画面位置の選択候補の選択が前記一次元タッチパッドのタッチ・なぞり・リリースにより、前記選択候補からのファイル選択が可能な事を特徴とする、ファイルと任意の画面位置の選択指示を行える携帯電話・テレビ・記録装置用リモコン・ＰＨＳ・プリンター用の一次元タッチパッドシステム。
【請求項３】
請求項１又は請求項２に記載の一次元タッチパッドシステムであって、前記選択候補の表示切替に対応した前記一次元タッチパッド上に、スピーディな選択候補の選択あるいはスピーディなスクロール量・スクロール方向の指示を行う為に複数の突起あるいは凹凸を一定間隔で形成し、利用者が指の触覚にて前記一次元タッチパッド上をなぞった際に、突起あるいは凹凸の数から移動量を知覚しつつ選択候補からのファイル選択・表示画面のページ切替え・任意の表示画面位置の選択であるスクロールが可能な事を特徴とする前記一次元タッチパッドを内蔵し、前記ファイル一覧管理手段４３により、ファイルと任意の画面位置の選択指示を行う事が可能な事を特徴とする携帯電話・テレビ・記録装置用リモコン・ＰＨＳ用の一次元タッチパッドシステム。
【請求項４】
請求項１又は請求項２又は請求項３に記載の一次元タッチパッドシステムであって、指でのタッチ・なぞりの指移動に基づく移動量と順あるいは逆方向の移動情報を計測するなぞり方向と量の計測手段と指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、携帯電話・ＰＨＳで、受信あるいは送信したメッセージのファイルの選択・管理・表示を行うメールメッセージ管理手段３９と受信・送信メールメッセージの記憶を行う為の記憶手段３８の内蔵により、一次元タッチパッドのタッチ・なぞり・リリースにより、タッチ始点とタッチ中の点との間の移動量と移動方向に対応する現在のカーソル位置あるいは表示画面のスクロール位置の表示切替を行い、受信したメール・過去に送信した携帯メールの一覧表に於いて、特定のメールメッセージのファイル選択・前記メールメッセージを表示する為に、表示画面のページ切替え・画面スクロール・ファイル選択が可能な事を特徴とするファイルと任意の画面位置の選択指示を行う為の携帯電話・ＰＨＳ用の一次元タッチパッドシステム。
【請求項５】
請求項１又は請求項２又は請求項３に記載の一次元タッチパッドシステムであって、指でのタッチ・なぞりの指移動に基づく移動量と順あるいは逆方向の移動情報を計測するなぞり方向と量の計測手段と指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、地図又はＨＰを表示すると共に地図表示時には地図のズーム倍率とスクロール移動を制御するスクロールとズーム制御を行うスクロール制御手段５２と地図又はＨＰデータを記憶する記憶手段３８を内蔵し、地図・画像と文字から構成されるＨＰのデータを記憶手段３８に記憶し、表示画面にＨＰ情報の表示を行い、一次元タッチパッドのタッチ・なぞりにより、タッチ始点とタッチ中の点との間の移動量と移動方向に対応するスクロール・表示画面切替・カーソル位置あるいは現在の選択位置の移動を行い、お目当ての画面選択候補位置にて指のリリースにより、携帯電話・ＰＨＳに表示の地図又はＨＰ閲覧画面に於いてスピーディでスマートな画面スクロール又は、現在の選択位置を示すカーソルの移動による画面位置の移動又は地図表示時には地図の表示倍率を制御したズーム制御が可能なことを特徴とするファイルと任意の画面位置の選択指示を行う為の携帯電話・ＰＨＳ用の一次元タッチパッドシステム。
【請求項６】
請求項１又は請求項２又は請求項３に記載の一次元タッチパッドシステムであって、指でのタッチ・なぞりの指移動に基づく移動量と順あるいは逆方向の移動情報を計測するなぞり方向と量の計測手段と指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、メールアドレスあるいは通話先の電話番号・宛名名を含むデータを管理し、特定の相手へのメールメッセージの表示あるいは特定の相手との電話ダイヤルを行うアドレス帳管理手段４１と相手先のアドレス・電話番号・相手先を記憶する記憶手段３８の内蔵により、メール宛先又は電話番号の一覧表で構成されるアドレス帳の一覧表に選択候補の表示を行い、前記一次元タッチパッドのタッチ・なぞりにより、タッチ始点とタッチ中の点との間の移動量と移動方向に対応する現在の選択中の相手先の選択候補の表示切替を行い、任意の選択候補の表示時に指をリリースし離しを検知し、通話あるいはメールの相手先のメールアドレス・電話番号のスピーディでスマートな選択・特定の相手へのメールアドレスが入力されたメッセージの作成・特定の相手との電話ダイヤルを行う為の表示切替・スクロール・相手先情報の選択が可能な事を特徴とするファイルと任意の画面位置の選択指示を行う為の携帯電話・ＰＨＳ用の一次元タッチパッドシステム。
【請求項７】
請求項１又は請求項２又は請求項３に記載の一次元タッチパッドシステムであって、指でのタッチ・なぞりの指移動に基づく移動量と順あるいは逆方向の移動情報を計測するなぞり方向と量の計測手段と指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、メモ帳にてメモを入力・保存可能なメモ帳管理手段５１により、文字入力したメモ文を記憶する記憶手段３８を内蔵した携帯電話・ＰＨＳに於いて、前記一次元タッチパッドのタッチ・なぞり、前記一次元タッチパッド上の任意の位置での指のリリース離しにより、タッチ始点となぞり・リリースした点との間の移動量と移動方向に対応する表示画面の切替・スクロールを表示切替手段３３にて行い、任意の画面位置で指をリリースし、メモ帳に於ける画面スクロール・現在の文字入力位置であるカーソル位置の移動指示がスピーディにスマートに行える事を特徴とするファイルと任意の画面位置の選択指示を行う為の携帯電話・ＰＨＳ用の一次元タッチパッドシステム。
【請求項８】
請求項１又は請求項２又は請求項３に記載の一次元タッチパッドシステムであって、指でのタッチ・なぞりの指移動に基づく移動量と順あるいは逆方向の移動情報を計測するなぞり方向と量の計測手段と指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、ワンセグ又はデータ放送により提供される電子番組表の管理と前記一次元タッチパッドのスクロール方向を切り替える為のスクロール方向の切替ボタン操作あるいは方向キーを押しつつ一次元タッチパッドのタッチし・なぞりを監視する電子番組表管理手段２８と、前記スクロール方向の切替ボタンを有する場合、縦横のスクロール方向の切り替えボタン２４を利用しテレビ放送局の切替えを方向キーの同時操作で切替えた上で、前記一次元タッチパッドのタッチ・なぞり・リリース離しにより、スクロールを行う又は、前記切替えボタンを内蔵しない場合は、これで予約時間・日の選択を行う為、横のスクロールに切り替え、携帯電話の表示画面あるいはテレビ画面に、タッチ点・なぞり点との間の移動量（なぞり量）と移動方向に対応する現在の選択番組の表示・表示切替を行い、目的の番組が選択された状態で指をリリースし、電子番組表による視聴・録画予約の為の番組の選択指示を一次元タッチパッドにてスピーディにスマートに打鍵数を削減しつつ、視聴・録画予約の為の番組選択が行える事を特徴とする、ファイルと任意の画面位置の選択指示を行う為の携帯電話・ＰＨＳ・テレビ・記録装置用リモコン用の一次元タッチパッドシステム。
【請求項９】
請求項１又は請求項２又は請求項３に記載の一次元タッチパッドシステムであって、指でのタッチ・なぞりの指移動に基づく移動量と順あるいは逆方向の移動情報を計測するなぞり方向と量の計測手段と指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、携帯電話・ＰＨＳ・テレビ・記録装置用リモコン用のワンセグテレビ又はテレビ放送の音量あるいは通話時の音量の調整が現在の記憶された音量レベルを可変可能な一次元タッチパッドにてスピーディに行える音量調整手段４４の内蔵により、タッチ・なぞりによりスピーカーあるはイヤーフォンから出力される音量につき、前記音量調整手段の音量調整バーあるいは音量の数値の表示切替を行い、任意の位置で前記一次元タッチパッドのリリースによる移動量と移動方向の指示による現在の音量レベルを示すバーあるいは数値に基づき切り替え・任意の音量レベルの選択指示が可能な事を特徴とする携帯電話・ＰＨＳ・テレビ・記録装置用リモコン用の一次元タッチパッドシステム。
【請求項１０】
請求項１又は請求項２又は請求項３に記載の一次元タッチパッドシステムであって、指でのタッチ・なぞりの指移動に基づく移動量と順あるいは逆方向の移動情報を計測するなぞり方向と量の計測手段と指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、ワンセグチューナー内蔵の携帯電話又はＰＨＳ又はデータ放送対応のテレビ又は記録装置用リモコンに於いて、視聴あるいは録画する為のチャンネル（放送局）の切替えを・管理を行う視聴あるいは録画・視聴予約する放送局選択手段５３の内蔵により、タッチしなぞりを検知する為の前記タッチ中の点の検知手段３１にて表示手段３３により表示されているチャンネルの選択候補をリアルタイムで表示切替手段３３にてチャンネルの選択候補の表示切替を行い、視聴するチャンネルを一次元タッチパッドのタッチ・なぞり、特定の希望のチャンネルに於いて指のリリースを行う事により、チャンネルの選択が可能な事を特徴とする、ファイルと任意の画面位置の選択指示を行う為の携帯電話・ＰＨＳ・テレビ・記録装置用リモコン用の一次元タッチパッドシステム。
【請求項１１】
請求項１又は請求項２又は請求項３に記載の一次元タッチパッドを利用したシステムであって、指でのタッチ・なぞりの指移動に基づく移動量と順あるいは逆方向の移動情報を計測するなぞり方向と量の計測手段と指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、一次元タッチパッドと楽曲の一覧管理と楽曲再生を行うファイル一覧管理手段４３と楽曲を記憶可能な記憶手段３８の内蔵により、前記の一次元タッチパッドのタッチ・なぞり・リリースにより、表示画面のページ切替え・画面のスクロール・前記楽曲の選択候補からの選択指示を行う事を特徴とするデジタル音楽プレーヤー用の一次元タッチパッドシステム。
【請求項１２】
請求項１又は請求項２又は請求項３に記載の一次元タッチパッドを利用したシステムであって、指でのタッチ・なぞりの指移動に基づく移動量と順あるいは逆方向の移動情報を計測するなぞり方向と量の計測手段と指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、一次元タッチパッドと静止画あるいは動画の管理・選択候補の表示・動画再生を行う為のファイル一覧管理手段４３と、静止画あるいは動画データを記憶する記憶手段３８の内蔵により、静止画・動画の再生の為、前記ファイル候補と任意の画面位置の選択・表示画面のページ切替え・画面スクロール操作・ファイル選択指示を行う事を特徴とするデジタルカメラ・ビデオカメラ用の一次元タッチパッドシステム。
【請求項１３】
請求項１又は請求項２又は請求項３に記載の一次元タッチパッドを利用したシステムであって、指でのタッチ・なぞりの指移動に基づく移動量と順あるいは逆方向の移動情報を計測するなぞり方向と量の計測手段と指の離しリリースを検知するリリース検知手段からなるなぞり方向と量の計測・リリース検知手段３０又は、前記なぞり方向と量の計測手段と前記リリース検知手段を独立させた構成又は、制御手段３５又はタッチパッド制御手段３６又は表示切替手段３３に内蔵されたリリース検知手段となぞり方向と量の計測手段を内蔵し、タッチなぞりデータに基づき移動量と順あるいは逆方向の移動情報を計測すると共に指のリリースを検知するなぞり方向と量の計測・リリース検知手段３０又はなぞり方向と量の計測手段から独立させたリリース検知手段と移動情報を計測する計測手段、又は制御手段３５又はタッチパッド制御手段又は表示切替手段に内蔵されたリリース検知手段を内蔵し、文字入力手段４０とテンキー・方向キー３４と記憶手段３８の内蔵により、テンキー３４と一次元タッチパッド３７の両者を操作しつつ、スピーディな日本語・英数字からなる文字入力・漢字変換が可能な事を特徴とする携帯電話・ＰＨＳ・リモコン用の一次元タッチパッドシステム。